(57)【要約】【課題】介護に於いて、被介護者を例えばベッドから車椅子に移動する場合、軽量で携帯可能、手動で操作が簡単、安価な補助装置を用いて介護者の負担を軽減し、特に腰痛を防ぐ。【解決手段】軽量パイプからなり、平面がコの字状で２本の平行した懸垂部２をそなえた支持体１において、前記懸垂部２下部に動滑車３及び動滑車４と定滑車５のセットを配設し、更に前記支持体１（支柱部）に主動体（ワイア巻き取り器）６を配設し、それぞれ２本のワイヤ７、８で連動させ被介護者１０昇降機能を構成する。前記動滑車３に被介護者１０を持ち上げる為のフック９を固定する。【選択図】  図１
2005052639.tif 000002
【特許請求の範囲】
【請求項１】
懸垂部をそなえた支持体と、該支持体に被介護者を係止するための係止体を付加した動者、定車及び該動車、定車と伝導体を介して連動する主動体を配設した昇降手段からなる携帯式介護補助装置。
【請求項２】
昇降手段が、前記懸垂部（２）に被介護者を係止するための係止体（９）を備えた動車（３）と該動車（３）に伝導体（７）にて連結した複数車（同軸）構成の動車（４）及び複数車（同軸）構成の定車（５）を配設し、更に前記支持体（１）に前記動車（４）及び前記定車（５）と伝導体（８）を介して連動する主動体（６）を配設したことよりなる請求項１記載の携帯式介護補助装置。
【請求項３】
移動手段を付設した、請求項１、２記載の携帯式介護補助装置。
【請求項４】
請求項１、２、３に記載した構造を持つ携帯式歩行補助装置。
【発明の詳細な説明】
【技術分野】
【０００１】
本発明は、主として介護に際して、介護者が被介護者を例えばベッドから車椅子に移動する場合の補助装置及び被介護者が多少の歩行障害を有するが相応の腕力を維持している場合の歩行補助装置に関する。
【背景技術】
【０００２】
市販の介護用リフトは、電動（モ−タ−）式が主流でたまに水圧式その他の物がある。電動式には、大別して据え付けタイプと移動タイプが有り、前者は装置が大がかりで重量が大体３０ｋｇ以上、後者も１６ｋｇ以上有る。いずれも高価である。操作は原則、介護者が行い、被介護者にとってはつり上げ（下げ）に対し多少の違和感が予想される。一方、市販の歩行補助具は、杖ないし車付き枠組み構造に大別される。いずれもそれなりの筋力を維持している人が対象になる。
【発明の開示】
【発明が解決しようとする課題】
【０００３】
軽量で携帯可能、手動で操作が簡単、安価、介護者の体力的負担を軽減し、被介護者の違和感を軽減し、場合により被介護者本人の力で操作可能等の機能をもった移動補助装置ないし歩行補助装置を得る。
【課題を解決するための手段】
【０００４】
軽量材パイプ等からなる支持体の懸垂部に動車（例えば動滑車）と定車（例えば定滑車）の組み合わせを配設し、該滑車を伝導体（ワイヤ等）により前記支持体の一部に固定された主動体（ワイヤ巻き取り器）に連動させる。前記滑車の一部に固定されたフック等を、例えばベッドの端に座した被介護者の腰部に着脱可能に固定されたベルト等に係止し、介護者（ないし被介護者自身）が前記巻き取り器を手動操作することで、被介護者の身体（腰部）が持ち上がる。ストッパ−等で静止した後、前記支持体を後退し回転して被介護者を例えば車椅子に移す。  動滑車と定滑車の組み合わせで、例えば被介護者の体重の１／８の負荷で被介護者の昇降が可能である。他方、被介護者が相応の筋力を持ち合わせていれば、身体が持ち上がった時点で歩行補助具としても使用可能である（前記支持体に車等を配設する）。
【発明の効果】
【０００５】
本発明は、以上説明したように構成されているので以下のような効果を発する。 介護補助装置としては、従来の電動リフトタイプに比して手動であり、構造が軽量コンパクトで小回りが利く、安価、保管も容易であり、携帯が可能である。  本装置を使用することで介護者に掛かる体力的、精神的負担が大幅に軽減され、介護者の腰痛問題が解決される。その他大きな特徴として被介護者自身での操作が可能で構造上歩行補助装置としても使用可能である。
【発明を実施するための最良の形態】
【０００６】
発明の実施の形態を実施例にもとづき図面を参照して説明する。
図１において、軽量パイプからなり２本の腕（懸垂部２）を持った平面がコの字状で高さ約１１００ｍｍの支持体１の（支柱部）左右２箇所に、それぞれ直径約１５０ｍｍの棒ハンドル付き主動体（ワイヤ巻き取り器）６を回転可能にシャフト等で固定し、前記支持体１の両懸垂部２下部にそれぞれ二車（同軸）構成の定車（定滑車）５を、更にその下位に二車（同軸）構成の動車（動滑車）４を配設し、伝導体（ワイヤ等）８にて前記３者を連動させる。ワイヤ８の先端はまず前記定滑車５の固定具に固定され、下位の前記動滑車４と本定滑車５の間を二往復し、他端が前記ワイヤ巻き取り器６の周辺凹部に固定される。更に伝導体（ワイヤ等）７の先端を前記懸垂部２下部に固定し前記動滑車４の下位にて動車（動滑車）３を吊し他端を前記動滑車４の軸の一部に固定する。なお前記動滑車３の軸に被介護者１０を係止する為の係止体９（フック等）を固定する。フックに関しては、例えば被介護者１０の腰部バンドにフック等が付いていればそれを受け止める孔等を動滑車３の軸部に加工することも出来る。以上で被介護者１０昇降機能を構成する。介護に際し、介護者は支持体１を手で運んで例えばベッドに座している被介護者１０に近接し、各フック９を被介護者１０の腰部バンド等に固着し、前記ワイヤ巻き取り器６のハンドルを手で回すと前記ワイヤ７、８が張って被介護者１０の腰（身体）が持ち上がる。この際、被介護者１０が前後に倒れないようにベルト等の保護具を備える。当然、支持体１は被介護者１０側に傾くので、防止のためベルト等を前記支持体１に着脱可能に固着し介護者の背中で支えるか前記支持体１の下端に支持台１１等を付設する。被介護者１０の腰部が約１００ｍｍ持ち上がったところで各棒ハンドルをストッパ−等で制止し、次ぎに支持体１を後退させ回転等の移動で例えば車椅子の真上に位置し各棒ハンドルのロックをはずして逆回転で被介護者１０を降ろし各フック９をはずす。かくして被介護者１０の移動目的を達することが出来る。被介護者１０の腰部を１００ｍｍ持ち挙げる場合、ワイヤ８を８００ｍｍ巻き取る必要があり、前記巻き取り器６（直径１５０ｍｍ）を２回転弱回す事になる。なお被介護者１０が相応の筋力を持ち合わせていれば、自身の腕で棒ハンドルを回して身体を持ち挙げることも可能である。前述の各滑車の組み合わせケ−スでは、動滑車４及び定滑車５の各構成（同軸）車数を２にすると、理論上棒ハンドルを操作する負荷は１／８になる。即ち体重６０ｋｇの被介護者１０は７ｋｇ重強の力で持ち上げ可能である。  図１に示すワイヤ巻き取り器６は、支持体１支柱パイプに埋め込んだ状態であるが、支柱パイプの外周にシャフト等で配設する場合は、ハンドルを付けても良いし巻き取り器６の周辺に把手を付けて回す等の選択が出来る。もし重量が少なく容積も小さい電動駆動装置を選択できれば手動にこだわらない。各伝導体７、８については、ワイヤの他にチェ−ン、ひも等が考えられる。チェ−ン使用の場合は前記巻き取り器６、定車５、動車３、４は歯車を使用することになる。支持体１については、次のような配慮が必要である。イ）介護者、被介護者１０の体格にあわせること及び使用しないときの保管の都合から幅、高低の調節可能���組立式ないし折り畳み式の構造が望ましい、ロ）被介護者１０を持ち上げた場合に、バランスをとるため前述したベルト等を固着して介護者の背中で支える他に前述の支持体１下端の支持台１１を介護者の足で踏みつけることも可能であり、被介護者１０自身が操作する場合にそなえて重心を配慮した設計が必要である、ハ）上下動する各滑車及びワイヤの周辺は、安全上カバ−が必要になる、ニ）左右の回転、若干の前後の動きをスム−ズにするため、支持体１下端の支持台１１にボ−ルやロ−ラ−等を埋め込むか前記支持台にゆるいカ−ブをつけて介護者自身の重量を利用したテコの原理応用も考えられる、移動距離が長い場合は自在車等を付加する、ホ）車椅子に接近する場合、前記支持体１の一部が車椅子の前輪等に接触の可能性が大であるから、支持体１の下部（支柱）を湾曲させるか巾広になるよう途中交換式タイプにすることも考えられる、ヘ）支持体１及び昇降装置部品の材質については軽量化を最優先にする必要があり、１０ｋｇ以内が目標である。
【０００７】
前記支持体１下端の支持台１１に車を付加すると、被介護者１０を吊したままより遠距離を移動することが出来る。
【０００８】
以上の記述から、被介護者１０が一旦例えばベッドから立ち上がることが出来れば、相応の手、足の筋力があれば本補助装置を利用して歩行補助装置として利用することが可能である。
【図面の簡単な説明】
【０００９】
【図１】本介護補助装置の側面図である。
【図２】本介護補助装置の正面図である。
【符号の説明】
【００１０】
１  支持体
２  懸垂部
３、４  動滑車
５  定滑車
６  ワイヤ巻き取り器
７、８  ワイヤ
９  フック
１０  被介護者
１１  支持台
【図１】
2005052639.tif 000003
【図２】
2005052639.tif 000004